(57)【要約】【課題】米の計量が正確に行え、計量バラツキが少なく、計量した米量を記憶する必要がなく、しかも正確な表示が可能な炊飯器を提供すること。【解決手段】鍋２２内の米重量を計測する重量計測手段２６と、この重量計測手段２６の計測に基づき米計量およびその水計量の表示とそれらの操作をする操作部３０とを備え、重量計測手段２６は、本体２１の底部でその重量を受けるように複数配置し、操作部３０は、その操作時に重量計測手段２６に操作力が及ばないように本体２１と切り離して設けた。これにより、本体２１の底部が複数配置の重量計測手段２６で受けられ、米の計量が正確に行え、計量バラツキが少なく、また、米計量およびその水計量の表示がなされるため、米計量を記憶する必要がなく、しかも、操作部３０の操作時に重量計測手段２６に操作力が及ばないため、正確な米計量、水計量の表示が可能である。【選択図】  図１
2005000485.tif 000002
【特許請求の範囲】
【請求項１】
鍋と、前記鍋を加熱する鍋加熱手段を有する本体と、前記鍋の開口部を覆う蓋と、前記鍋内の米重量を計測する重量計測手段と、この重量計測手段の計測に基づき米計量およびその水計量の表示とそれらの操作をする操作部とを備え、前記重量計測手段は、本体の底部でその重量を受けるように複数配置し、前記操作部は、その操作時に重量計測手段に操作力が及ばないように本体と切り離して設けた炊飯器。
【請求項２】
重量計測手段は、歪みセンサーである請求項１に記載の炊飯器。
【請求項３】
歪みセンサーは、端部に機器の脚を備え途中で本体の重量を受ける複数のテコの他端によって加圧されるようにした請求項２に記載の炊飯器。
【請求項４】
鍋と、前記鍋を加熱する鍋加熱手段を有する本体と、前記鍋の開口部を覆う蓋と、前記鍋内の米重量を検出する重量計測手段と、この重量計測手段の計測に基づき米計量およびその水計量の表示とそれらの操作をする操作部とを備え、前記重量計測手段は、本体の底部でその重量を受けるように複数配置し、前記操作部は、本体と一体的に設けるとともにその操作時に変動前の数値を表示するようにした炊飯器。
【請求項５】
操作部における米計量に基づく水計量の表示は、前回の表示データを表示する請求項１〜４のいずれか１項に記載の炊飯器。
【請求項６】
水計量の表示を変えて加水率を変更すると次回からは変更した加水率になるよう指示する請求項１〜５のいずれか１項に記載の炊飯器。
【請求項７】
加水率の変更が予め設定された設定範囲を外れた場合、次の操作ができないようにした請求項１〜６のいずれか１項に記載の炊飯器。
【請求項８】
本体側と重量計測手段側とは着脱自在である請求項１または４に記載の炊飯器。
【発明の詳細な説明】
【０００１】
【発明の属する利用分野】
本発明は重量計測手段により米計量に合致した最適な水計量を得て所望の炊飯が行えるようにした炊飯器に関するものである。
【０００２】
【従来の技術】
従来、重量計測手段を用いた炊飯器はすでに知られている（例えば、特許文献１参照）。
【０００３】
これは、図６に示すように、炊飯器１が、本体２と、収容室３と、ヒーター４とを備えており、例えば、３合の炊飯をする場合、使用者は３合の米を洗米して鍋１２に入れ、水位を大まかに合わせておく。次に、鍋１２を本体２の収容室３に収納すると、鍋１２とその内容物の重量がヒーター４に加わり、ヒーター４はスプリング５を圧縮し、スプリング５の力と重量がバランスしたところで停止する。この時、電極上６、電極下７間の容量は重量検知手段８によって検出され、マイコン９に入力される。変換手段１０によって変換された表示データは、表示手段１１に送られ表示される。例えば、ここで２．５合と表示されると、使用者は鍋１２に３合の米を入れたことを覚えているので「３．０合」と表示されるまで水を加えるものである。
【０００４】
【特許文献１】
特開平０１−２０４６２３号公報
【０００５】
【発明が解決しようとする課題】
しかしながら、前記従来の炊飯器においては、最初、米計量を計量カップやハカリで行うため、使用者によって計量バラツキが大きい。また、使用者は最初の米計量結果を記憶しておいて、その記憶している数値に合う水量まで水を加えなければならず、ついうっかり数値を間違えることもある。また、鍋１２に入れた米の位置が均一であるか、一箇所に偏っているかによって、左右のスプリング５のたわみ量が変化し、電極上６と電極下７間の容量が変化する。また、水量表示が単に合数で表示してあるだけであり、水量を数％増減して硬さを調節しようとすることは困難である。従って、米と水の比率がバラツキ、毎回ご飯の炊きあがり状態が変わるという課題がある。
【０００６】
本発明は、前記従来の課題を解決するもので、米の計量が正確に行え、計量バラツキが少なく、また、計量した米量を記憶する必要がなく、しかも正確な表示が可能な炊飯器を提供することを目的とする。
【０００７】
【課題を解決するための手段】
前記目的を達成するために、本発明の炊飯器は、鍋内の米重量を計測する重量計測手段と、この重量計測手段の計測に基づき米計量およびその水計量の表示とそれらの操作をする操作部とを備えたものであり、重量計測手段は、本体の底部でその重量を受けるように複数配置し、操作部は、その操作時に重量計測手段に操作力が及ばないように本体と切り離して設けたものである。
【０００８】
これにより、本体の底部が複数配置の重量計測手段で受けられ、米の計量が正確に行え、計量バラツキが少なく、また、米計量およびその水計量の表示がなされるため、米計量を記憶する必要がなく、しかも、操作部の操作時に重量計測手段に操作力が及ばないため、正確な米計量、水計量の表示が可能なものである。
【０００９】
【発明の実施の形態】
請求項１に記載の発明は、鍋と、前記鍋を加熱する鍋加熱手段を有する本体と、前記鍋の開口部を覆う蓋と、前記鍋内の米重量を計測する重量計測手段と、この重量計測手段の計測に基づき米計量およびその水計量の表示とそれらの操作をする操作部とを備え、前記重量計測手段は、本体の底部でその重量を受けるように複数配置し、前記操作部はその操作時に重量計測手段に操作力が及ばないように本体と切り離して設けた炊飯器とすることにより、本体の底部が複数配置の重量計測手段で受けられ、米の計量が正確に行え、計量バラツキが少なく、また米計量およびその水計量の表示がなされるため米計量を記憶する必要がなく、しかも操作部の操作時に重量計測手段に操作力が及ばないため、正確な米計量、水計量の表示が可能なものである。
【００１０】
請求項２に記載の発明は、重量計測手段は、歪みセンサーである請求項１に記載の炊飯器とすることにより、重量計測が正確かつ容易に行えるものである。
【００１１】
請求項３に記載の発明は、歪みセンサーは、端部に機器の脚を備え途中で本体の重量を受ける複数のテコの他端によって加圧されるようにした請求項２に記載の炊飯器とすることにより、簡易な構成で、本体の重量を歪みセンサーに加え精度の良い計量が行えるものである。
【００１２】
請求項４に記載の発明は、鍋と、前記鍋を加熱する鍋加熱手段を有する本体と、前記鍋の開口部を覆う蓋と、前記鍋内の米重量を検出する重量計測手段と、この重量計測手段の計測に基づき米計量およびその水計量の表示とそれらの操作をする操作部とを備え、前記重量計測手段は、本体の底部でその重量を受けるように複数配置し、前記操作部は、本体と一体的に設けるとともにその操作時に変動前の数値を表示するようにした炊飯器とすることにより、米の計量が正確に行え、計量バラツキが少なく、また、米計量を記憶する必要がないことはもちろんのこと、特に、操作部が使いやすい場所に設けられ、操作時に変動前の数値を表示することにより、誤操作がなく使い勝手がよいものとなる。
【００１３】
請求項５に記載の発明は、操作部における米計量に基づく水計量の表示は、前回の表示データを表示する請求項１〜４のいずれか１項に記載の炊飯器とすることにより、加水率を毎回調整することがなく、容易に好みの水量に合わせることができる。
【００１４】
請求項６に記載の発明は、水計量の表示を変えて加水率を変更すると次回からは変更した加水率になるよう指示する請求項１〜５のいずれか１項に記載の炊飯器とすることにより、使い勝手がよく、容易に好みの水量に合わせることができる。
【００１５】
請求項７に記載の発明は、加水率の変更が予め設定された設定範囲を外れた場合、次の操作ができないようにした請求項１〜６のいずれか１項に記載の炊飯器とすることにより、うっかり操作を間違え、不適切な炊飯が行われることがない。
【００１６】
請求項８に記載の発明は、本体側と重量計測手段側とは着脱自在である請求項１または４に記載の炊飯器とすることにより、炊飯器組立て時や、修理時の重量計測手段の調整が容易にできる。
【００１７】
【実施例】
以下、本発明の実施例について、図面を参照して説明する。
【００１８】
（実施例１）
図１、図２は、本発明の実施例１における炊飯器を示すものである。
【００１９】
図１に示すように、炊飯器の本体２１は、着脱自在に鍋２２を内装している。さらに鍋２２の上面を覆う蓋２３が開閉自在に設置されている。また、本体２１はその内部に、鍋２２を誘導加熱する鍋加熱手段２４と、鍋２２の温度を検知する鍋温度検知手段２５を有している。
【００２０】
前記鍋２２内の米重量を計測する重量計測手段２６は、本体２１の底部でその重量を受けるように複数配置している。重量計測手段２６の受圧部２７は底板２８の足２９で支持されている。ここで、重量計測手段２６は、歪みセンサーで構成されているものであり、本体２１の重量を受けることによりその重量を計測するものである。
【００２１】
重量計測手段２６の受圧部２７を支持している底板２８の先端部には、重量計測手段２６の計測に基づき米計量およびその水計量の表示とそれらの操作をする操作部３０を一体に設けている。この操作部３０は、計量操作、炊飯操作、保温操作、予約操作などを行う各種の操作ボタン３１と、米計量およびその水計量の表示を行う表示部３２とを備えている。そして、操作部３０は、その操作時に重量計測手段２６に操作力が及ばないように、本体２１と切り離されて底板２８に設けているものである。本実施例では、操作部３０の底面には支持足３０ａを設けてあり、操作ボタン３１を押した時、操作部３０が沈んで表示値が変動しないようになっている。
【００２２】
また、本体２１側と重量計測手段２６側とは着脱自在であり、炊飯器組立て時や、修理時の重量計測手段の調整が容易にできるよう配慮されている。本実施例では、矢印Ａで示す面で本体２１側と重量計測手段２６側に分離されるようになっている。
【００２３】
なお、重量計測手段２６側には、重量計測手段２６の制御回路３４が、操作部３０には表示部３２の制御回路３３がそれぞれ装備されている。
【００２４】
次に、図２により操作部３０について説明する。表示部３２は計量時と炊飯時で表示内容が変わり、計量時は米計量と水計量を表示する。
【００２５】
まず、米計量ボタン３１ａを押して計量を開始する。米を鍋２２に入れると、重量計測手段２６と制御回路３４によって計量された米量が何カップ（図では３．０カップ）と表示される。次いで、水計量ボタン３１ｂを押すと、水量を示す棒グラフ状の表示が現れる。初回は棒グラフの普通固さの水量位置が点滅している。ここで、無洗米の場合は、水を注いで点滅位置に合わせる。普通米の場合は、洗米後、米の入った鍋２２を本体２１にセットし、水を注いで点滅位置に合わせる。次いで、炊飯ボタン３１ｅを押して炊飯を開始すると、普通硬さのご飯が炊きあがる。２回目に計量操作をする場合は、表示部３２には前回の位置（普通硬さ）が点滅し、普通かたさという表示のＭが表示される。
【００２６】
今回、硬めにしたければ点滅位置の手前に注水して炊飯すれば、前回より硬めのご飯が炊きあがる。そして、次に計量操作をする場合は、表示部３２には前回のかための位置が点滅し、かためを表すＨが表示される。やわらかめにしたければ逆に多めに注水すればよい。
【００２７】
なお、水量調整は、水量調整ボタン３１ｃ、３１ｄで水量の点滅位置を変えることにより、容易に行えるものである。また、加水率が予め定めた設定範囲を外れた状態で炊飯ボタンを押した場合は、受付けないように設定されており、うっかり操作を間違えることがないようにしている。
【００２８】
（実施例２）
次に、図３、図４は、本発明の実施例２における炊飯器の重量計測手段を含む要部を示すものである。
【００２９】
本実施例では、図３に示すように、本体２１の底部が載置される台３５の上に重量計測手段２６を構成する歪みセンサーを設置している。台３５の両端はナイフエッジ状の支点３６になっている。前記歪みセンサーは、端部に機器の脚３７を備え途中で台３５の支点３６を受け本体２１の重量を受ける複数のテコ３８の他端によって加圧される構成となっている。テコ３８は、実施例では一対有するものであり、脚３７側と反対側の端部は、一緒にあわせて連結リング３９にて支持されている。
【００３０】
図４に示すように、連結リング３９は、下端にナイフエッジ状下端４０が、また上端には加圧ピン４１がそれぞれ設けられている。そして、ナイフエッジ状下端４０は、テコ３８の脚３７側と反対側の端部を当接支持しており、加圧ピン４１は、各テコ３８を介して重量計測手段２６である歪みセンサーを加圧している。すなわち、脚３７が平面上に置かれると、台３５が本体２１の重量を受け、支点３６がテコ３８の途中を加圧し、テコ３８の脚３７側と反対側の端部が連結リング３９を下方に引き下げ、加圧ピン４１が歪みセンサーを加圧する。本体２１および重量計測手段２６とテコ３８とは、台３５の支点３６部分で分離でき、組立てや、修理の容易化をはかっている。
【００３１】
なお、実施例では、一つのユニットとして重量計測手段２６と各テコ３８の組合せ構成を示したが、実際には、図３に示すユニットを平行してもう一つ備え、本体２１の重量を複数の重量計測手段２６で受けるようにしているものである。
【００３２】
以上のように、重量計測手段２６を構成する歪みセンサーは、端部に機器の脚３７を備え途中で本体２１の重量を受ける複数のテコ３８の他端によって加圧されるようにしたことにより、簡易な構成で、本体２１の重量を歪みセンサーに加え精度の良い計量が行えるものである。
【００３３】
（実施例３）
図５は、本発明の実施例３における炊飯器を示すものである。実施例１と基本構成は同じであるので、同一要素は同一符号を付して説明を省略する。
【００３４】
本実施例において実施例１との相違点は、操作部３０を本体２１側部のできるだけ上方の操作しやすく見やすい場所に一体的に設けていることと、操作部３０の操作時、すなわち操作ボタン３１を押した時、変動前の数値を表示するようにしていることである。
【００３５】
このように、操作部３０が使いやすい場所に設けられ、操作時に変動前の数値を表示することにより、誤操作がなく使い勝手がよいものとなる。
【００３６】
なお、上記した各実施例１〜３において示した構成は、必要に応じて適宜組み合わせて使用することができるものであり、実施例そのものに限定されるものではない。
【００３７】
【発明の効果】
以上のように、本発明の炊飯器によれば、本体の底部が複数配置の重量計測手段で受けられ、米の計量が正確に行え、計量バラツキが少なく、また、米計量およびその水計量の表示がなされるため、米計量を記憶する必要がなく、しかも、操作部の操作時に誤操作されないようにしたため、正確な米計量、水計量の表示が可能なものである。
【図面の簡単な説明】
【図１】本発明の実施例１における炊飯器の断面図
【図２】同炊飯器の操作部を示す平面図
【図３】本発明の実施例２における炊飯器の重量計測手段を含む要部断面図
【図４】同炊飯器における連結リングを示す斜視図
【図５】本発明の実施例３における炊飯器の断面図
【図６】従来の炊飯器を示す断面図
【符号の説明】
２１  本体
２２  鍋
２３  蓋
２４  釜加熱手段
２６  重量計測手段（歪みセンサー）
３０  操作部
【図１】
2005000485.tif 000003
【図２】
2005000485.tif 000004
【図３】
2005000485.tif 000005
【図４】
2005000485.tif 000006
【図５】
2005000485.tif 000007
【図６】
2005000485.tif 000008